(57)【特許請求の範囲】
【請求項１】
水に空気を混入させて気泡混入水として当該気泡混入水を脈動するように吐出するように構成されるノズルであって、
前記水が流入する流入部と、
前記流入部から流入した水の流れを絞って前記水の流速を増加させる絞り部と、
前記絞り部から下流側へ流出する水に空気が吸引されて前記空気が混入されることによって前記絞り部から下流側へ流出する水が前記気泡混入水となるように、前記空気を導入する空気導入部と、
前記気泡混入水が当接することによって、前記気泡混入水の水勢が弱まるとともに前記気泡混入水が拡散するように構成される拡散部と、
前記流入部から流入した水の流れによって回転して前記絞り部の開口の閉鎖と開放とを順次おこなう回転体と、
を具備し、
前記絞り部の開口の閉鎖と開放とを順次おこなうことによって、前記絞り部から脈動するような水を流出し、前記脈動するような水に前記空気導入部から導入された空気が混入されて、前記気泡混入水を脈動するように吐出する、
ノズル。
【請求項２】
筒状に構成されるものであり、前記拡散部に当接して拡散した前記気泡混入水がその内面に当接するように配置されるとともに、前記内面に当接した前記気泡混入水が下流側端部の開口から流出するように構成される、筒部材を具備し、
前記筒部材の内側において、前記絞り部から流出する前記気泡混入水の流出方向の延長線上に位置しないように下流側に行くにしたがって縮径される部分を有し、
前記拡散部に当接して拡散した前記気泡混入水が、前記縮径される部分に当接して、前記筒部材から吐出される前記気泡混入水の吐出範囲を狭くする、
請求項１に記載のノズル。
【請求項３】
前記筒部材は、前記筒部材の内面に当接した前記気泡混入水の一部が前記筒部材の下流側端部の開口から複数本の線状に流出するように前記気泡混入水を案内する複数個の案内溝、を有する、
請求項１または２に記載のノズル。
【請求項４】
固形剤が配置され、気泡混入水が接触することによって固形剤が溶解される溶解部を備え、
気泡混入水を吐出するとともに、前記気泡混入水によって固形剤が溶解されてなる所定の溶液として吐出する、
請求項１から請求項３のいずれか一項に記載のノズル。
【発明の詳細な説明】
【技術分野】
【０００１】
本発明は、水に空気を混入させて気泡混入水として気泡混入水を吐出するノズルの技術に関する。
【背景技術】
【０００２】
従来、水が流入する流入部と、流入部から流入した水の流れを絞って水の流速を増加させる絞り部と、絞り部から下流側へ流出する水に空気が吸引されて空気が混入されることによって絞り部から下流側へ流出する水が気泡混入水となるように空気を導入する空気導入部と、を具備するノズルの技術は公知となっている（特許文献１参照）。
【０００３】
前記ノズルは、食物、動物、人体、金属製部材、樹脂製部材、建造物等の洗浄対象に筋状の気泡混入水を吐出して当該洗浄対象を洗浄する用途に用いられる。
前記ノズルから吐出される気泡混入水は、気泡が混入されるため、水に比べて洗浄効果が高いものとなっている。また、前記ノズルから吐出される気泡混入水は、筋状にされて洗浄対象物に付着した汚れを剥離できるような強い水勢で吐出される。
【先行技術文献】
【特許文献】
【０００４】
【特許文献１】特開昭５２−９４５１３号公報
【発明の概要】
【発明が解決しようとする課題】
【０００５】
しかしながら、洗浄対象が、表面が柔らかく形くずれが起こりやすいもの、または、筋状で強い水勢によって付着した汚れを剥離できなくとも十分に洗浄できるもの等（例えば、野菜、果物、動物、または、人体等）の場合には、前記ノズルから吐出される気泡混入水が洗浄対象物に付着した汚れを剥離できるような筋状で強い水勢であることが問題となる場合がある。
【０００６】
前記ノズルを用いて前記洗浄対象を洗浄すると、前記ノズルから吐出される気泡混入水の水勢が強すぎて、前記洗浄対象を損傷してしまうおそれがある。
もっとも、絞り部から下流側へ流出する水の水勢を弱めることによってノズルから吐出される気泡混入水の水勢を弱める場合には、絞り部から下流側へ流出する水の空気を吸引力が低下する。このため、絞り部から下流側へ流出する水の水勢を弱めることによってノズルから吐出される気泡混入水の水勢を弱める場合には、絞り部から下流側へ流出する水に混入される気泡の量が減少し、気泡混入水の洗浄効果が低下するという問題がある。
【０００７】
本発明は以上の如き状況に鑑みてなされたものであり、気泡混入水の洗浄効果が低下することを防止しつつ洗浄対象が損傷することを防止することができるノズルを提供すること課題とする。
【課題を解決するための手段】
【０００８】
本発明の解決しようとする課題は以上の如くであり、次にこの課題を解決するための手段を説明する。
【０００９】
即ち、請求項１においては、水に空気を混入させて気泡混入水として当該気泡混入水を脈動するように吐出するように構成されるノズルであって、前記水が流入する流入部と、前記流入部から流入した水の流れを絞って前記水の流速を増加させる絞り部と、前記絞り部から下流側へ流出する水に空気が吸引されて前記空気が混入されることによって前記絞り部から下流側へ流出する水が前記気泡混入水となるように、前記空気を導入する空気導入部と、前記気泡混入水が当接することによって、前記気泡混入水の水勢が弱まるとともに前記気泡混入水が拡散するように構成される拡散部と、前記流入部から流入した水の流れによって回転して前記絞り部の開口の閉鎖と開放とを順次おこなう回転体と、を具備し、前記絞り部の開口の閉鎖と開放とを順次おこなうことによって、前記絞り部から脈動するような水を流出し、前記脈動するような水に前記空気導入部から導入された空気が混入されて、前記気泡混入水を脈動するように吐出するものである。
【００１０】
請求項２においては、筒状に構成されるものであり、前記拡散部に当接して拡散した前記気泡混入水がその内面に当接するように配置されるとともに、前記内面に当接した前記気泡混入水が下流側端部の開口から流出するように構成される、筒部材を具備し、前記筒部材の内側において、前記絞り部から流出する前記気泡混入水の流出方向の延長線上に位置しないように下流側に行くにしたがって縮径される部分を有し、前記拡散部に当接して拡散した前記気泡混入水が、前記縮径される部分に当接して、前記筒部材から吐出される前記気泡混入水の吐出範囲を狭くするものである。
【００１１】
請求項３においては、前記筒部材の内面に当接した前記気泡混入水の一部が前記筒部材の下流側端部の開口から複数本の線状に流出するように前記気泡混入水を案内する、複数個の案内溝を有するものである。
【００１２】
請求項４においては、固形剤が配置され、気泡混入水が接触することによって固形剤が溶解される溶解部を備え、気泡混入水を吐出するとともに、前記気泡混入水によって固形剤が溶解されてなる所定の溶液として吐出するものである。
【発明の効果】
【００１３】
本発明の効果として、以下に示すような効果を奏する。
【００１４】
即ち、本発明によれば、気泡混入水の洗浄効果が低下することを防止しつつ洗浄対象が損傷することを防止することができる。
【図面の簡単な説明】
【００１５】
【図１】本発明の第一実施形態に係るノズルを分解した状態を示した正面図。
【図２】同じくノズルの正面図。
【図３】同じくノズルの断面図。
【図４】同じくノズルの底面図。
【図５】本発明の第一実施形態に係るノズルにおける絞り部材を示した底面図。
【図６】同じくノズルの一部拡大断面図。
【図７】同じくノズルの一部拡大断面図。
【図８】本発明の第二実施形態に係るノズルを分解した状態を示した正面図。
【図９】同じくノズルの断面図。
【図１０】同じくノズルの一部断面図。
【図１１】同じくノズルの底面図。
【図１２】同じくノズルにおける筒部材の移動する状態を示した一部断面図。
【図１３】同じくノズルの底面図。
【図１４】同じくノズルにおける筒部材の移動する状態を示した一部断面図。
【図１５】同じくノズルの底面図。
【図１６】本発明の第三実施形態に係るノズルを分解した状態を示した正面図。
【図１７】同じくノズルの断面図。
【図１８】同じくノズルの筒部材を示した底面図。
【図１９】本発明の第三実施形態に係るノズルの一部拡大断面図。
【図２０】本発明の第四実施形態に係るノズルの正面図。
【図２１】同じくノズルの断面図。
【図２２】同じくノズルの底面図。
【図２３】同じくノズルの一部拡大断面図。
【図２４】本発明の第五実施形態に係るノズルの正面図。
【図２５】同じくノズルの断面図。
【図２６】同じくノズルの底面図。
【図２７】同じくノズルの一部拡大断面図底面図。
【図２８】本発明の第六実施形態に係るノズルの断面図。
【図２９】同じくノズルの底面図。
【図３０】同じくノズルの一部拡大断面図。
【図３１】本発明の第六実施形態に係るノズルの正面図。
【図３２】同じくノズルの断面図。
【図３３】同じくノズルの底面図。
【図３４】同じくノズルの一部拡大断面図。
【発明を実施するための形態】
【００１６】
次に、本発明の第一実施形態に係るノズル１について、図１から図７を用いて説明する。なお、図中における矢印Ａは、気泡混入水が流れる方向を示すものとして説明する。
【００１７】
ノズル１は、水の流出口からノズル１に流入した水に空気を混入させて気泡混入水として、当該気泡混入水を吐出するように構成される。
ノズル１は、図１乃至図４に示すように、流入部１１と、絞り部１２と、空気導入部１３と、拡散部１４と、を具備し、全体的に略筒状に形成される。
【００１８】
ノズル１の流入部１１は、水の流出口に接続されて、当該水の流出口（例えば、ホース）から流出する水がノズル１内に流入する部分である。
【００１９】
ノズル１の絞り部１２は、流入部１１からノズル１内に流入した水の流れを絞って水の流速を増加させる部分である。ノズル１の絞り部１２は、流入部１１よりも下流側に配置される。ノズル１は、絞り部１２から下流側へ流出する水の流速が、絞り部１２の上流側よりも増加するように構成される。
【００２０】
ノズル１の空気導入部１３は、絞り部１２から下流側へ流出する水（水の流出口から流入した水）に空気が吸引されて当該空気が混入されることによって、絞り部１２から下流側へ流出する水が気泡混入水となるように、ノズル１内に空気を導入する部分である。
ノズル１の空気導入部１３は、ノズル１外から、ノズル１における絞り部１２の下流側部分近傍に空気を導入するように構成される。ノズル１の空気導入部１３における空気の出口の開口１３ｂは、ノズル１内における絞り部１２の下流側部分近傍に形成される。ノズル１内には、空気導入部１３における空気の出口の開口１３ｂから空気が導入される。
【００２１】
ノズル１の拡散部１４は、気泡混入水の水勢を弱めるとともに、気泡混入水を拡散させるものである。
ノズル１の拡散部１４は、絞り部１２および空気導入部１３の下流側に配置される。ノズル１の拡散部１４は、気泡混入水が当接するような位置に配置される。
ノズル１の拡散部１４は、気泡混入水が拡散部１４に当接することによって、気泡混入水の水勢が弱まるとともに気泡混入水が拡散するように構成される。
【００２２】
このように構成されるノズル１では、気泡混入水が拡散部１４に当接することによって気泡混入水の水勢が弱められることとなる。
もっとも、ノズル１では、絞り部１２から下流側へ流出した直後の水（水の流出口から流入した水）の水勢は弱められておらず、絞り部１２から下流側へ流出する水の空気の吸引力も低下しない。
このため、ノズル１では、空気導入部１３において、絞り部１２から下流側へ流出した水（水勢が弱められていない水）に確実に空気を混入させることができる。
【００２３】
以上のようにして、ノズル１では、混入される気泡の量が減少することを防止しつつ水勢を弱めて気泡混入水を吐出することができる。
したがって、ノズル１によれば、気泡混入水による洗浄効果が低下することを防止しつつ洗浄対象が損傷することを防止することができる。
【００２４】
ここで、従来のノズルでは、これから吐出される気泡混入水が筋状であるため、気泡混入水の吐出範囲が狭い。つまり、従来のノズルでは、これから吐出される気泡混入水が洗浄対象に直接接触する範囲が狭い。
このため、従来のノズルでは、気泡混入水が洗浄対象に直接接触する箇所を細かく移動させながら洗浄作業をおこなうことを要する。
つまり、従来のノズルを用いて洗浄対象（表面が柔らかく形くずれが起こりやすいく、または、筋状で強い水勢によって付着した汚れを剥離できなくとも十分に洗浄できる洗浄対象）を洗浄すると、当該ノズルから吐出される気泡混入水が筋状であるために、その洗浄作業が煩わしいものとなる。
【００２５】
ノズル１では、気泡混入水が拡散部１４に当接することによって気泡混入水が拡散することとなる（図６参照）。
そして、ノズル１では、前記気泡混入水が拡散することによって、気泡混入水の吐出範囲が広がることとなる。
このため、ノズル１によれば、従来のノズルに比べて前記洗浄対象の洗浄作業を容易におこなうことができる。
【００２６】
次に、ノズル１の具体的構成について説明する。
ノズル１は、図１乃至図４に示すように、接続部材２０と、絞り部材３０と、筒部材４０と、を具備する。
【００２７】
ノズル１の接続部材２０は、その上流側端部および下流側端部が開口する略円筒状に形成される。
ノズル１の接続部材２０における上流側部は、流入部１１として構成される。
ノズル１の接続部材２０は、その上流側部が水の流出口に接続可能に構成される。
ノズル１の接続部材２０は、その上下中途部（上流側部と下流側部との間）に、フランジ２１が形成されて構成される。ノズル１の接続部材２０におけるフランジ２１は、側方に突出するように形成される。
ノズル１の接続部材２０は、その下流側部（フランジ２１よりも下流側の部分）が絞り部材３０の上流側端部の開口から絞り部材３０内に嵌挿可能に構成される。
【００２８】
ノズル１の絞り部材３０は、図１乃至図５に示すように、その上流側端部が開口するとともに下流側端部に底部３１を有して、有底略筒状に形成される。
ノズル１の絞り部材３０における上流側端部には、フランジ３２が形成される。ノズル１の絞り部材３０におけるフランジ３２は、側方に突出するように形成される。
【００２９】
ノズル１の絞り部材３０は、凹部３３を有する。ノズル１の絞り部材３０における凹部３３は、底部３１の上流側の面の中央部に形成される。ノズル１の絞り部材３０における凹部３３は、底部３１の上流側の面が略半球状に凹むように形成される。
【００３０】
ノズル１の絞り部材３０は、複数個の絞り孔３４・３４・・・を有する。
ノズル１の絞り部材３０における絞り孔３４は、ノズル１内に流入した水の流れを絞って水の流速を増加させるものである。ノズル１の絞り部材３０における複数個の絞り孔３４で、絞り部１２が構成される。
ノズル１の絞り部材３０における絞り孔３４は、絞り部材３０内から絞り部材３０外に底部３１を貫通するように形成される。ノズル１の絞り部材３０における絞り孔３４は、上流側の開口３５が凹部３３に開口するように形成される。ノズル１の絞り部材３０の絞り孔３４は、周方向に６０度ずつ位相をずらして形成される。
ノズル１の絞り部材３０の絞り孔３４は、当該絞り孔３４におけるそれぞれの下流側の開口３６から流出する三本の水流がノズル１の軸心方向に平行に流出するようにそれぞれ形成される。
なお、ノズル１の絞り部材３０における絞り孔３４の数は、三個であることに限定するものではない。
【００３１】
ノズル１の絞り部材３０は、切欠き３７を有する。
ノズル１の絞り部材３０における切欠き３７は、周方向に１８０度ずつ位相をずらすようにして（絞り部材３０の軸心を中心にして対向するような位置に）、それぞれ形成される。ノズル１の絞り部材３０における切欠き３７は、フランジ３２を含むその外周面の一部が上端部から下端部に亘って絞り部材３０の軸心方向に沿って切欠かれるように、それぞれ形成される。
【００３２】
ノズル１の筒部材４０は、図１乃至図４に示すように、その上流側端部および下流側端部が開口する円筒状に形成される。
ノズル１の筒部材４０は、その上下中途部（上流側部と下流側部との間）から下流側端部にいくに従って次第に縮径されて、上流側端部の開口の内経が下流側端部の開口４１の内経よりも大きくなるように形成されて、構成される。
ノズル１の筒部材４０は、その上流側部内に絞り部材３０におけるフランジ３２よりも下流側の部分を嵌挿可能に構成される。
【００３３】
そして、ノズル１は、その絞り部材３０の上流側部内に、絞り部材３０の上流側端部の開口から接続部材２０におけるフランジ２１よりも下流側の部分が嵌挿されて構成される。
前記ノズル１の絞り部材３０に接続部材２０が嵌挿された状態では、接続部材２０内と絞り部材３０内とが連通した状態となる。
ノズル１は、接続部材２０における上流側部から流入した水が、接続部材２０内を通って絞り部材３０内に流入して、絞り部材３０の絞り孔３４におけるそれぞれの下流側の開口３６から流出するように、構成される。
【００３４】
また、ノズル１は、その筒部材４０内に、筒部材４０の上流側端部の開口から絞り部材３０におけるフランジ３２よりも下流側の部分が嵌挿されて構成される。前記ノズル１の筒部材４０に絞り部材３０が嵌挿された状態では、筒部材４０の内周面と絞り部材３０の切欠き３７が形成されていない部分の外周面とが当接した状態となるが、筒部材４０の内周面と絞り部材３０の切欠き３７が形成される部分の外面との間には空間が形成される。当該ノズル１の絞り部材３０における切欠き３７と筒部材４０の内周面とで形成される空間で、空気導入部１３が構成される。
【００３５】
ノズル１では、絞り部材３０における切欠き３７の上端部の開口が、空気導入部１３における空気の入口の開口１３ａとして構成される。また、ノズル１の絞り部材３０における切欠き３７の下端部の開口が、空気導入部１３における空気の出口の開口１３ｂとして構成される。
そして、ノズル１は、絞り部材３０の絞り孔３４（絞り部１２）におけるそれぞれの下流側の開口３６から流出した水に空気導入部１３における空気の出口から導入された空気が混入されて、当該絞り孔３４の下流側の開口３６から流出した水を気泡混入水とするように構成される。
【００３６】
ノズル１の絞り部材３０は、拡散体３８を有する。
ノズル１の絞り部材３０における拡散体３８は、気泡混入水の水勢を弱めるとともに、気泡混入水を拡散させるものである。ノズル１の絞り部材３０における拡散体３８は、拡散部１４を構成する。
ノズル１の絞り部材３０における拡散体３８は、絞り孔３４の下流側の開口３６の近傍に位置するように配置される。ノズル１の絞り部材３０における拡散体３８は、底部３１（絞り孔３４の下流側の開口３６）の下流側に位置するように配置される。ノズル１の絞り部材３０における拡散体３８は、絞り部材３０の底部３１の中央部（絞り孔３４よりも中央側）から下流側に突出するように配置される。ノズル１の絞り部材３０における拡散体３８は、気泡混入水が当接するように配置される。
ノズル１の絞り部材３０における拡散体３８は、略円錐状に形成される。ノズル１の絞り部材３０における拡散体３８は、下流側にいくに従って末広がりのテーパ状に形成される。
ノズル１の絞り部材３０における拡散体３８は、その下流側端（外側端）が絞り孔３４よりも外側（筒部材４０の内周面側）に位置するように、形成される。ノズル１の絞り部材３０における拡散体３８は、その上流側の斜面が絞り孔３４の軸心の延長線上に位置するように、形成される。ノズル１の絞り部材３０における拡散体３８は、その上流側の斜面が絞り部材３０の絞り孔３４から流出する気泡混入水の流出方向の延長線上に位置するように、形成される。
【００３７】
このように構成されるノズル１では、絞り部材３０が拡散体３８（拡散部１４）を有するため、ノズル１の軸心方向に絞り部材３０の絞り孔３４（絞り部１２）から流出する気泡混入水は、絞り部材３０の拡散体３８に当接することとなる。
そして、ノズル１では、絞り部材３０における拡散体３８に気泡混入水が当接することによって気泡混入水の水勢が弱められることとなる。
もっとも、ノズル１では、絞り部材３０の絞り孔３４から流出した直後の水（水の流出口から流入した水）の水勢は弱められておらず、絞り部材３０の絞り孔３４から下流側へ流出する水の空気の吸引力も低下しない。
このため、ノズル１では、空気導入部１３において、絞り部材３０の絞り孔３４から流出した水（水勢が弱められていない水）に確実に空気を混入させることができる。
【００３８】
以上のようにして、ノズル１では、混入される気泡の量が減少することを防止しつつ水勢を弱めて気泡混入水を吐出することができる。
したがって、ノズル１によれば、気泡混入水による洗浄効果が低下することを防止しつつ洗浄対象が損傷することを防止することができる。
【００３９】
また、ノズル１では、絞り部材３０における拡散体３８に気泡混入水が当接することによって気泡混入水が拡散することとなる（図６参照）。
そして、ノズル１では、前記気泡混入水が拡散することによって、気泡混入水の吐出範囲が広がることとなる。このとき、ノズル１では、絞り部材３０における拡散体３８に当接した気泡混入水が下流側にいくに従って末広がりに拡散して、その吐出範囲が広がることとなる。
このため、ノズル１によれば、従来のノズル（気泡混入水を筋状に吐出するノズル）に比べて洗浄対象（表面が柔らかく形くずれが起こりやすいく、または、筋状で強い水勢によって付着した汚れを剥離できなくとも十分に洗浄できる洗浄対象）の洗浄作業を容易におこなうことができる。
【００４０】
また、ノズル１の筒部材４０は、その下流側端部の開口４１が絞り部材３０の拡散体３８の下流側端よりも下流側に位置するように構成される。ノズル１の筒部材４０は、前記絞り部材３０の拡散体３８に当接して拡散した気泡混入水が、筒部材４０の内周面（内面）に当接するように配置される。ノズル１の筒部材４０は、前記筒部材４０の内周面（内面）に当接した気泡混入水が筒部材４０の下流側端部の開口４１から流出するように構成される。
このようにして、ノズル１は、前記絞り部材３０の拡散体３８に当接して拡散した気泡混入水が、筒部材４０の内周面（内面）に当接して筒部材４０の下流側端部の開口４１から吐出されるように、構成される。
【００４１】
このため、ノズル１では、前記絞り部材３０の拡散体３８に当接して拡散した気泡混入水を、その吐出範囲を広げた状態で洗浄対象に向けて吐出することができる（図６参照）。
したがって、ノズル１によれば、混入される気泡の量が減少することを防止しつつ水勢を弱めるとともに吐出範囲が広げられた気泡混入水を、洗浄対象物に確実に吐出することができる。
【００４２】
ノズル１は、図７に示すように、狭範囲吐出部材４５を具備してもよい。
ノズル１の狭範囲吐出部材４５は、筒部材４０の下流側端部の開口４１から吐出される気泡混入水よりも吐出範囲を狭くするものである。
ノズル１の狭範囲吐出部材４５は、その上流側端部および下流側端部が開口する円筒状に形成される。ノズル１の狭範囲吐出部材４５は、その上下中途部から上流側端部にいくに従って次第に内経が拡縮径されて、上流側端部の開口の内経が下流側端部の開口４６の内経よりも大きくなるように構成される。ノズル１の狭範囲吐出部材４５は、その縮径される部分よりも下流側部分の内径が絞り部材３０の拡散体３８の最下流側の外径と略同一となるように構成される。ノズル１の狭範囲吐出部材４５は、その前記縮径される部分の内経が筒部材４０の内径よりも小さく形成されて構成される。
ノズル１の狭範囲吐出部材４５は、その上流側部を筒部材４０の下流側端部内に嵌挿可能に構成される。
【００４３】
そして、ノズル１は、その筒部材４０の下流側端部の開口４１から筒部材４０に狭範囲吐出部材４５が嵌挿されて構成される。
このとき、ノズル１の狭範囲吐出部材４５は、その前記縮径される部分が絞り部材３０の拡散体３８の外側に位置するように配置される。ノズル１の狭範囲吐出部材４５は、その下流側端部の開口４６が絞り部材３０の拡散体３８の下流側端よりも下流側に位置するように構成される。ノズル１の狭範囲吐出部材４５は、その前記縮径される部分よりも下流側部分が絞り部材３０の拡散体３８よりも下流側に位置するように構成される。
【００４４】
ノズル１の狭範囲吐出部材４５は、前記絞り部材３０の拡散体３８に当接して拡散した気泡混入水が、狭範囲吐出部材４５における前記縮径される部分の内周面（内面）に当接するように配置される。ノズル１の狭範囲吐出部材４５は、狭範囲吐出部材４５における前記縮径される部分の内周面（内面）に当接した気泡混入水が狭範囲吐出部材４５の下流側端部の開口４６から流出するように構成される。
このようにして、ノズル１は、前記絞り部材３０の拡散体３８に当接して拡散した気泡混入水が、狭範囲吐出部材４５の内周面（内面）に当接して狭範囲吐出部材４５の下流側端部の開口４６から吐出されるように、構成される。
そして、ノズル１の狭範囲吐出部材４５は、その前記縮径される部分の内経が筒部材４０の内径よりも小さく形成されて構成される。
このため、ノズル１では、前記絞り部材３０の拡散体３８に当接して拡散した気泡混入水を、狭範囲吐出部材４５を具備せずに筒部材４０の下流側端部の開口４１から吐出される気泡混入水よりも吐出範囲を狭くして、洗浄対象に向けて吐出することができる（図７参照）。
【００４５】
次に、本発明の第二実施形態に係るノズル１について、図８乃至図１５を用いて説明する。
なお、第二実施形態に係るノズル１の説明は、第一実施形態に係るノズル１と同様の構成の部分については適宜省略し、第一実施形態に係るノズル１の構成と異なる部分を中心に説明する。
【００４６】
ノズル１は、図８乃至図１０に示すように、接続部材５０と、水流方向変換部材６０と、絞り部材３０と、回転体７０と、筒部材４０と、を具備し、脈動するような気泡混入水を吐出するように構成される。
【００４７】
ノズル１の接続部材５０は、その上流側端部および下流側端部が開口する略円筒状に形成される。
ノズル１の接続部材５０における上流側部は、流入部１１として構成される。ノズル１の接続部材５０における上流側部は、水の流出口に接続可能に構成される。
【００４８】
ノズル１の水流方向変換部材６０は、接続部材５０の下流側に配置される。
ノズル１の水流方向変換部材６０は、接続部材５０から流出する水の水流方向を変換するものである。
ノズル１の水流方向変換部材６０は、その上流側端部が開口され、下流側端部に底部６１を有して、有底略筒状に形成される。
【００４９】
ノズル１の水流方向変換部材６０は、その上流側端部にフランジ６２が形成されて構成される。ノズル１の水流方向変換部材６０におけるフランジ６２は、側方に突出するように形成される。
ノズル１の水流方向変換部材６０は凸部６５を有する。ノズル１の水流方向変換部材６０における凸部６５は、底部６１の中央部から下流側に突出するように形成される。
ノズル１の水流方向変換部材６０は、その下流側部（フランジ６２よりも下流側の部分）が絞り部材３０の上流側端部の開口から絞り部材３０内に嵌挿可能に構成される。
【００５０】
ノズル１の水流方向変換部材６０は、貫通孔６３を有する。
ノズル１の水流方向変換部材６０における貫通孔６３は、周方向に１８０度位相をずらすようにして（水流方向変換部材６０の軸心を中心に対向する位置に）、その上下中途部（上流側部と下流側部との間）にそれぞれ形成される。ノズル１の水流方向変換部材６０における貫通孔６３は、水流方向変換部材６０における中途部の外周面から内周面に（半径方向に）貫通するように、それぞれ形成される。
【００５１】
ノズル１の水流方向変換部材６０は、切欠き６４を有する。
ノズル１の水流方向変換部材６０における切欠き６４は、周方向に１８０度位相をずらすようにして（水流方向変換部材６０の軸心を中心に対向する位置に）それぞれ形成される。ノズル１の水流方向変換部材６０における切欠き６４は、底部６１の下流側の面および中途部の外周面が切欠かれるように形成される。ノズル１の水流方向変換部材６０における切欠き６４は、その底部６１から、二個の貫通孔６３のうち一方の貫通孔６３に亘るように形成される。
【００５２】
そして、ノズル１は、接続部材５０における下流側端に水流方向変換部材６０の上流側端を当接するようにして接続部材５０と水流方向変換部材６０とが配置されて、構成される。ノズル１は、接続部材５０に水流方向変換部材６０が固定されて、構成される。前記ノズル１の接続部材５０と水流方向変換部材６０とが配置された状態では、接続部材５０内と水流方向変換部材６０内とが連通した状態となる。
ノズル１では、接続部材５０の下流側端部の開口から流出した水が、水流方向変換部材６０の上流側端部の開口から水流方向変換部材６０内に流入するように、構成される。
【００５３】
また、ノズル１は、その絞り部材３０内の上流側部内に、絞り部材３０の上流側端部の開口から水流方向変換部材６０におけるフランジ６２よりも下流側の部分が嵌挿されて構成される。
ノズル１の水流方向変換部材６０が絞り部材３０に嵌挿された状態では、水流方向変換部材６０の貫通孔６３および切欠き６４を介して、水流方向変換部材６０内と絞り部材３０内とが連通した状態となる。
このようにして、ノズル１は、水流方向変換部材６０の上流側端部の開口から流入した水が、その貫通孔６３および切欠き６４を通って絞り部材３０内に流入して、絞り部材３０の絞り孔３４におけるそれぞれの下流側の開口３６から流出するように構成される。
【００５４】
また、ノズル１は、接続部材５０から水流方向変換部材６０内に流入した水が、接続部材５０の貫通孔６３および切欠き６４とを流通することにより、水の水流方向が水流方向変換部材６０内への流入方向（水流方向変換部材６０の軸方向）から周方向となって、絞り部材３０内に流入するように構成される。
つまり、ノズル１は、水流方向変換部材６０から流出する水が、水流方向が変換されて螺旋状の流水（平面視で時計回りの水流）となって絞り部材３０に流入するように構成さる。
【００５５】
ノズル１の回転体７０は、絞り部材３０の絞り孔３４（絞り部１２）の上流側の開口３５の閉鎖と開放とを隣接する絞り孔３４ごとに順次おこなうように回転することによって、絞り孔３４（絞り部１２）への水の流入を断続的に遮断するものである。
【００５６】
ノズル１の回転体７０は、棒状の部材の軸心方向中央部に円盤状の部材が互いの軸心を一致させて設けられたような形状に構成される。ノズル１の回転体７０における棒状部分の両端部は、それぞれ半球状に構成される。
【００５７】
ノズル１の回転体７０は、棒状部分の軸心を傾斜させるようにして絞り部材３０内に配置される。ノズル１の回転体７０は、棒状部分の一端部７１（上流側部）をその他端部７２（下流側部）よりも外周側に向けて水流方向変換部材６０の凸部６５の外側に配置させるとともに、棒状部分の他端部７２を絞り部材３０の凹部３３に位置させるようにして、配置される。
ノズル１の回転体７０は、棒状部分の軸心の傾斜する向きを変えるように回転可能に構成される。ノズル１の回転体７０は、棒状部分の他端部７２が絞り部材３０の凹部３３に位置した状態で、棒状部分の一端部７１が絞り部材３０の内周面に沿って水流方向変換部材６０の凸部６５の周りを移動するように、回転可能に絞り部材３０内に配置される。
【００５８】
ノズル１の回転体７０は、絞り部材３０内において、前記水流方向変換部材６０によって水流方向が変換されて螺旋状の水流を回転体７０の円盤状部分で受けることによって、回転するように構成される。
このとき、ノズル１では、回転体７０が回転して、棒状部分の他端部７２が絞り部材３０における絞り孔３４の上流側の開口３５上に位置したときに、当該棒状部分の他端部７２で当該絞り部材３０における絞り孔３４の上流側の開口３５を閉鎖する。
ノズル１では、回転体７０がさらに回転して、前記絞り部材３０の絞り孔３４の上流側の開口３５を通過したときに、当該絞り孔３４の上流側の開口３５を開放する。
【００５９】
ノズル１は、回転体７０が回転することによって、回転体７０の棒状部分の他端部７２で絞り部材３０における絞り孔３４の上流側の開口３５の閉鎖と開放とを隣接する絞り孔３４ごとに順次おこなうように構成される。
このようにして、ノズル１は、回転体７０が回転することによって、絞り部材３０における絞り孔３４への水の流入を断続的に遮断するように構成される。
【００６０】
ノズル１は、回転体７０が回転することによって、絞り部材３０における複数個の絞り孔３４（絞り部１２）のうち水が流入する絞り孔３４を断続的に変更して、絞り孔３４の下流側の開口３６から脈動するような水を流出するように構成される。
そして、ノズル１は、前記脈動するような水に空気導入部１３における空気の出口から導入された空気が混入されて、前記脈動するような水を脈動するような気泡混入水としてこれを吐出するように、構成される。
【００６１】
このように構成されたノズル１では、前記脈動するような気泡混合水を洗浄対象に吐出すると、当該脈動するような気泡混合水を洗浄対象に吐出する接触した洗浄対象物は、気泡混入水内の気泡混入水の洗浄効果に加えて、脈動するような気泡混合水の振動によっても洗浄されることとなる。
このようにして、ノズル１では、これから流出する気泡混入水の洗浄効果を向上させることができる。
【００６２】
ノズル１の筒部材４０は、図１０または図１１に示すように、複数個の案内溝４２・４２・・・を有する構成としてもよい。
ノズル１の筒部材４０における複数個の案内溝４２は、前記筒部材４０の内周面（内面）に当接した気泡混入水の一部が筒部材４０の下流側端部の開口４１から複数本の線状に流出するように当該気泡混入水を案内するものである。
ノズル１の筒部材４０の案内溝４２は、筒部材４０の内周面に形成される。ノズル１の筒部材４０の案内溝４２は、筒部材４０の軸心方向（気泡混合水の流出方向）に沿って形成される。ノズル１の筒部材４０の案内溝４２は、その上下中途部（上流側部と下流側部との間）から下流側端部の開口４１に至るように形成される。
ノズル１の筒部材４０は、十二個の案内溝４２が等間隔に配置されて構成される。
【００６３】
このように構成されるノズル１では、前記絞り部材３０における拡散体３８に当接して拡散した気泡混入水の一部が、筒部材４０における複数個の案内溝４２を通って下流側に流通することにより、筒部材４０の下流側端部の開口４１から複数本の線状に吐出されることとなる。
このため、ノズル１では、気泡混入水の洗浄効果が低下することを防止しつつ洗浄対象が損傷することを防止するとともに、シャワー状に気泡混入水を吐出することができる。
そして、ノズル１では、気泡が混入される気泡混入水は一般のシャワーヘッドから吐出されるシャワー水よりも洗浄効果が高いため、当該一般のシャワーヘッドよりも少量の水（気泡混入水）で洗浄対象を洗浄することができる。
【００６４】
なお、ノズル１の筒部材４０の案内溝４２の数は十二個に限定されるものではない。ノズル１の筒部材４０は、例えば、図１２は図１３に示すように、二十四個の案内溝４２が配置される構成でもよい。
また、ノズル１の筒部材４０の案内溝４２は、筒部材４０の軸心方向と交差するように（例えば、螺旋状に）形成してもよい。
【００６５】
ノズル１の筒部材４０は、図１４または図１５に示すように、筒部材４０の軸心方向（筒部材４０の下流側端部の開口４１から気泡混合水が流出する方向）に移動可能に構成してもよい。
このように構成されるノズル１では、筒部材４０をその軸心方向に移動させることにより、筒部材４０の下流側端部の開口４１から吐出される気泡混入水の吐出範囲を微調節（少し広くまたは少し狭く）することができる。
【００６６】
ノズル１は、絞り部材３０の外周面に雄ネジが形成されるとともに筒部材４０の内周面に雌ネジが形成されて、絞り部材３０の雄ネジと筒部材４０の雌ネジとを螺合させることにより、筒部材４０が絞り部材３０に取付けられるように構成してもよい。
このように構成されるノズル１では、絞り部材３０の雄ネジと筒部材４０の雌ネジとの螺合度合いを変更することにより、筒部材４０をその軸心方向に移動させることができる。
【００６７】
次に、本発明の第三実施形態に係るノズル１について、図１６乃至図１９を用いて説明する。
なお、第三実施形態に係るノズル１の説明は、第一実施形態または第二実施形態に係るノズル１と同様の構成の部分については適宜省略し、第一実施形態または第二実施形態に係るノズル１の構成と異なる部分を中心に説明する。
【００６８】
ノズル１は、図１６または図１７に示すように、接続部材５０と、水流方向変換部材６０と、絞り部材３０と、回転体７０と、筒部材４０と、を具備し、脈動するような気泡混入水を吐出するように構成される。
本実施形態のノズル１では、絞り部材３０は拡散体３８を有さない。
【００６９】
ノズル１の筒部材４０は、図１６乃至図１８に示すように、拡散体４３、を有する。
ノズル１の筒部材４０における拡散体４３は、気泡混入水の水勢を弱めるとともに、気泡混入水を拡散させるものである。ノズル１の筒部材４０における拡散体４３は、拡散部１４を構成する。
ノズル１の筒部材４０における拡散体４３は、筒部材４０の内周面から筒部材４０の軸心に向かって延出するアーム４４・４４・４４に支持されて、筒部材４０の内側（筒部材４０の内側）に位置するように配置される。ノズル１の筒部材４０における拡散体４３は、筒部材４０の下流側端部の開口４１近傍に配置される。ノズル１の筒部材４０における拡散体４３は、絞り部材３０の底部３１（絞り孔３４の下流側の開口３６）の近傍に位置するように配置される。ノズル１の筒部材４０における拡散体４３は、絞り部材３０の底部３１（絞り孔３４の下流側の開口３６）の下流側に位置するように配置される。ノズル１の筒部材４０における拡散体４３は、絞り部材３０の軸心の延長線上に拡散体４３の軸心が位置するように配置される。ノズル１の筒部材４０における拡散体４３は、絞り部材３０の絞り孔３４から流出する気泡混入水が当接するように配置される。
ノズル１の筒部材４０における拡散体４３は、略円錐状に形成される。ノズル１の筒部材４０における拡散体４３は、下流側にいくに従って末広がりのテーパ状に形成される。
ノズル１の筒部材４０における拡散体４３は、その下流側端（外側端）が絞り部材３０の絞り孔３４よりも外側（筒部材４０の内周面側）に位置するように、形成される。ノズル１の筒部材４０における拡散体４３は、その上流側の斜面が絞り部材３０の絞り孔３４の軸心の延長線上に位置するように、形成される。ノズル１の筒部材４０における拡散体４３は、その上流側の斜面が絞り部材３０の絞り孔３４から流出する気泡混入水の流出方向の延長線上に位置するように、形成される。
【００７０】
このように構成されるノズル１では、筒部材４０が拡散体４３（拡散部１４）を有するため、ノズル１の軸心方向に絞り部材３０の絞り孔３４（絞り部１２）から流出する気泡混入水は、筒部材４０の拡散体４３に当接することとなる。
そして、ノズル１では、筒部材４０における拡散体４３に気泡混入水が当接することによって気泡混入水の水勢が弱められることとなる。
もっとも、ノズル１では、絞り部材３０の絞り孔３４から流出した直後の水（水の流出口から流入した水）の水勢は弱められておらず、絞り部材３０の絞り孔３４から下流側へ流出する水の空気の吸引力も低下しない。
このため、ノズル１では、空気導入部１３において、絞り部材３０の絞り孔３４から流出した水（水勢が弱められていない水）に確実に空気を混入させることができる。
【００７１】
以上のようにして、ノズル１では、混入される気泡の量が減少することを防止しつつ水勢を弱めて気泡混入水を吐出することができる。
したがって、ノズル１によれば、気泡混入水による洗浄効果が低下することを防止しつつ洗浄対象が損傷することを防止することができる。
【００７２】
また、ノズル１では、筒部材４０における拡散体４３に気泡混入水が当接することによって気泡混入水が拡散することとなる（図１９参照）。
そして、ノズル１では、前記気泡混入水が拡散することによって、気泡混入水の吐出範囲が広がることとなる。このとき、ノズル１では、筒部材４０における拡散体４３に当接した気泡混入水が下流側にいくに従って末広がりに拡散して、その吐出範囲が広がることとなる。
このため、ノズル１によれば、従来のノズル（気泡混入水を筋状に吐出するノズル）に比べて洗浄対象（表面が柔らかく形くずれが起こりやすいく、または、筋状で強い水勢によって付着した汚れを剥離できなくとも十分に洗浄できる洗浄対象）の洗浄作業を容易におこなうことができる。
【００７３】
また、ノズル１の筒部材４０は、その下流側端部の開口４１が拡散体４３の下流側端よりも下流側に位置するように構成される。ノズル１の筒部材４０は、前記拡散体４３に当接して拡散した気泡混入水が、筒部材４０の内周面（内面）に当接するように構成されるノズル１の筒部材４０は、前記筒部材４０の内周面（内面）に当接した気泡混入水が筒部材４０の下流側端部の開口４１から流出するように構成される（図１９参照）。
このようにして、ノズル１は、前記拡散体４３に当接して拡散した気泡混入水が、筒部材４０の内周面（内面）に当接して筒部材４０の下流側端部の開口４１から吐出されるように、構成される。
【００７４】
このため、ノズル１では、前記筒部材４０の拡散体４３に当接して拡散した気泡混入水を、その吐出範囲を広げた状態で洗浄対象に向けて吐出することができる（図１９参照）。
したがって、ノズル１によれば、混入される気泡の量が減少することを防止しつつ水勢を弱めるとともに吐出範囲が広げられた気泡混入水を、洗浄対象物に確実に吐出することができる。
【００７５】
ノズル１の筒部材４０は、図１７または図１８に示すように、複数個の案内溝４２・４２・・・を有する構成としてもよい。
【００７６】
このように構成されるノズル１では、前記拡散体４３に当接して拡散した気泡混入水の一部が、筒部材４０における複数個の案内溝４２を通って下流側に流通することにより、筒部材４０の下流側端部の開口４１から複数本の線状に吐出されることとなる。
このため、ノズル１では、気泡混入水の洗浄効果が低下することを防止しつつ洗浄対象が損傷することを防止するとともに、シャワー状に気泡混入水を吐出することができる。
そして、ノズル１では、気泡が混入される気泡混入水は一般のシャワーヘッドから吐出されるシャワー水よりも洗浄効果が高いため、当該一般のシャワーヘッドよりも少量の水（気泡混入水）で洗浄対象を洗浄することができる。
【００７７】
なお、第一実施形態に係るノズル１が、複数個の案内溝４２を有する筒部材４０を具備する構成とすることもできる。
第一実施形態に係るノズル１が、筒部材４０の軸心方向（筒部材４０の下流側端部の開口４１から気泡混合水が流出する方向）に移動可能に構成される筒部材４０を具備する構成とすることもできる。
第三実施形態に係るノズル１が、水流方向変換部材６０と、回転体７０と、を具備しない構成とすることもできる。
【００７８】
次に、本発明の第四実施形態に係るノズル１について、図２０乃至図２３を用いて説明する。
なお、第四実施形態に係るノズル１の説明は、第一実施形態乃至第三実施形態に係るノズル１と同様の構成の部分については適宜省略し、第一実施形態乃至第三実施形態に係るノズル１の構成と異なる部分を中心に説明する。
【００７９】
ノズル１は、図２０乃至図２２に示すように、流入部１１と、絞り部１２と、空気導入部１３と、溶解部１５と、を具備し、全体的に略筒状に形成される。
【００８０】
ノズル１の溶解部１５は、気泡混入水によって溶解部１５に配置される固形剤９０を溶解させて、当該気泡混入水を所定の溶液として流出するように構成される。
ノズル１の溶解部１５は、絞り部１２および空気導入部１３の下流側に配置される。ノズル１の溶解部１５は、溶解部１５に配置される固形剤９０に、絞り部１２および空気導入部１３の下流側を流通する気泡混入水のうち少なくとも一部の気泡混入水が接触するような位置に配置される。
ノズル１の溶解部１５は、溶解部１５に配置される固形剤９０に気泡混入水が接触することによって、溶解部１５に配置される固形剤９０が溶解されて、当該気泡混入水が所定の溶液となって流出するように構成される。
そして、ノズル１は、溶解部１５から流出した所定の溶液を吐出するように構成される。
【００８１】
以上のようにして、ノズル１では、溶解部１５を具備し、水の流出口からノズル１に流入した水に空気を混入させて気泡混入水として当該気泡混入水を吐出するとともに、当該気泡混入水が固形剤９０に接触することによって当該固形剤９０が溶解されて当該気泡混入水を所定の溶液として当該所定の溶液を吐出するように構成される。
したがって、ノズル１によれば、固形剤９０を溶解して当該固形剤９０が溶解されたものをノズル１に導入することを要さずに、所定の溶液を吐出することができる。
よって、ノズル１によれば、固形剤９０が溶解されたものを導入して所定の溶液を吐出するように構成されるものに比べて、簡易に、所定の溶液を吐出することができる。
【００８２】
ここで、ノズル１の溶解部１５に配置される固形剤９０とは、気泡混入水が接触することによって溶解可能なもの（例えば、気泡混入水（水）が接触することによって溶解可能な、固形洗剤、固形塗料剤、固形薬剤、または、固形炭酸剤等）を示す。
また、前記所定の溶液とは、固形剤９０が溶解されたものが気泡混入水に混入されたものを示す。
【００８３】
次に、ノズル１の具体的構成について説明する。
ノズル１は、図２０乃至図２２に示すように、接続部材５０と、水流方向変換部材６０と、絞り部材３０と、回転体７０と、第一筒部材８１と、第二筒部材８２と、固形剤配置部材８６と、固形剤９０と、蓋部材８０と、を具備し、脈動するような気泡混入水を吐出するとともに、所定の溶液を吐出するように構成される。
本実施形態のノズル１では、絞り部材３０は拡散体３８を有さない。
【００８４】
ノズル１の第一筒部材８１は、その上流側端部および下流側端部が開口する円筒状に形成される。
ノズル１の第一筒部材８１は、その上下中途部（上流側部と下流側部との間）から下流側端部にいくに従って次第に縮径されて、上流側端部の開口の内経が下流側端部の開口の内経よりも大きくなるように形成されて、構成される。
ノズル１の第一筒部材８１は、その上流側部内に絞り部材３０におけるフランジ３２よりも下流側の部分を嵌挿可能に構成される。
【００８５】
ノズル１の第二筒部材８２は、その上流側端部および下流側端部が開口する円筒状に形成される。
ノズル１の第二筒部材８２は、その上流側部内が第一筒部材８１における下流側端部に嵌挿可能に構成される。
ノズル１の第二筒部材８２は、その上流側部を除く部分（中途部および下流側部）の外径が上流側部よりも小さく形成されて構成される。
ノズル１の第二筒部材８２は、その上流側端から第二筒部材８２の上流側部と中途部との境界部分における内面が下流側に行くに従って縮径されて、その上流側端から第二筒部材８２の上流側部と中途部との境界部分における内部に傾斜面を有するように（テーパ状に）構成される。
【００８６】
ノズル１の第二筒部材８２は、流出路８４と、流入路８５と、を有して構成される。
ノズル１の第二筒部材８２の流出路８４は、第二筒部材８２の上流側部と中途部との境界部分に複数（四個）形成される。ノズル１の第二筒部材８２の流出路８４は、第二筒部材８２の上流側部と中途部との境界部分の内面から外面に貫通するように形成される。ノズル１の第二筒部材８２の流出路８４は、９０度位相をずらすようにしてそれぞれ配置される。
ノズル１の第二筒部材８２の流入路８５は、下流側端に複数（四個）形成される。ノズル１の第二筒部材８２の流入路８５は、第二筒部材８２の下流側端の内面から外面に切り欠かれるように形成される。ノズル１の第二筒部材８２の流入路８５は、９０度位相をずらすようにしてそれぞれ配置される。
【００８７】
ノズル１の固形剤配置部材８６は、その上流側端部が開口する有底円筒状に形成される。
ノズル１の固形剤配置部材８６は、その底部の中央部に下流側開口部８７を有して構成される。
ノズル１の固形剤配置部材８６は、その上流側部内に第一筒部材８１における下流側端部を嵌挿可能に構成される。
ノズル１の固形剤配置部材８６は、その底部の下流側開口部８７に第二筒部材８２の下流側端部を嵌挿可能に構成される。
ノズル１の固形剤配置部材８６は、側部に固形剤９０を固形剤配置室８８に配置するときに用いられる側部孔８９を有して構成される。
【００８８】
ノズル１は、その第一筒部材８１内に、第一筒部材８１の上流側端部の開口から絞り部材３０におけるフランジ３２よりも下流側の部分が嵌挿されて構成される。前記ノズル１の第一筒部材８１に絞り部材３０が嵌挿された状態では、第一筒部材８１の内周面と絞り部材３０の切欠き３７が形成されていない部分の外周面とが当接した状態となるが、第一筒部材８１の内周面と絞り部材３０の切欠き３７が形成される部分の外面との間には空間が形成される。当該ノズル１の絞り部材３０における切欠き３７と第一筒部材８１の内周面とで形成される空間で、空気導入部１３が構成される。
【００８９】
ノズル１は、その第一筒部材８１内に、第一筒部材８１の下流側端部の開口から第二筒部材８２の上流側部が嵌挿されて構成される。
前記ノズル１の第一筒部材８１に第二筒部材８２が嵌挿された状態では、第二筒部材８２の流入路８５の上流側の開口（内面側の開口）が、絞り部材３０の絞り孔３４から流出する気泡混入水の流出方向の延長線上に位置するように、形成される。
【００９０】
ノズル１は、その固形剤配置部材８６の上流側部内に第一筒部材８１における下流側端部を嵌挿するとともに、その固形剤配置部材８６の底部の下流側開口部８７に第二筒部材８２の下流側端部を嵌挿して、固形剤配置部材８６の内側に第二筒部材８２が位置するように構成される。
ノズル１は、固形剤配置部材８６の内面と、第二筒部材８２の外面（上流側部の下流側面、中途部の外面、および、下流側部の外面）と、で、固形剤９０が配置可能な固形剤配置室８８が形成されるように構成される。ノズル１の固形剤配置室８８は、溶解部１５として構成される。
ノズル１は、固形剤配置室８８と第二筒部材８２内とが流出路８４または流入路８５を介して連通するように構成される。
【００９１】
ノズル１は、固形剤配置部材８６の側部孔８９から粒状の複数個の固形剤９０が固形剤配置室８８に配置されて構成される。
ノズル１は、固形剤配置室８８に固形剤９０が配置された状態では、蓋部材８０によって閉じられるようにして固形剤配置部材８６の側部孔８９に蓋がされて構成される。
【００９２】
そして、ノズル１は、図２３に示すように、絞り部材３０の絞り孔３４から流出した気泡混入水が、第二筒部材８２の下流側端部の開口８３から吐出されるように、構成される。
また、ノズル１は、絞り部材３０の絞り孔３４から流出した気泡混入水のうち一部の気泡混入水が、第二筒部材８２の流出路８４を介して第二筒部材８２の内側から流出して、固形剤配置室８８（溶解部１５）に流入するように構成される。
ノズル１は、前記固形剤配置室８８に流入した気泡混入水によって固形剤配置室８８（溶解部１５）に配置される固形剤９０を溶解して当該気泡混入水を所定の溶液として、当該所定の溶液が固形剤配置室８８（溶解部１５）から第二筒部材８２の流入路８５を介して第二筒部材８２の内側に流入するように構成される。
そして、ノズル１は、第二筒部材８２の内側に流入した所定の溶液が第二筒部材８２の下流側端部の開口８３から吐出されるように、構成される。
【００９３】
以上のようにして、ノズル１は、水の流出口からノズル１に流入した水に空気を混入させて気泡混入水として当該気泡混入水を吐出するとともに、当該気泡混入水が固形剤９０に接触することによって当該固形剤９０が溶解されて当該気泡混入水を所定の溶液として当該所定の溶液を吐出するように構成される。
したがって、ノズル１によれば、固形剤９０を溶解して当該固形剤９０が溶解されたものをノズル１に導入することを要さずに、所定の溶液を吐出することができる。
よって、ノズル１によれば、固形剤９０が溶解されたものを導入して所定の溶液を吐出するように構成されるものに比べて、簡易な構成で所定の溶液を吐出することができる。
【００９４】
次に、本発明の第五実施形態に係るノズル１について、図２４乃至図２７を用いて説明する。
なお、第五実施形態に係るノズル１の説明は、第一実施形態乃至第四実施形態に係るノズル１と同様の構成の部分については適宜省略し、第一実施形態乃至第四実施形態に係るノズル１の構成と異なる部分を中心に説明する。
【００９５】
ノズル１は、図２４乃至図２６に示すように、流入部１１と、絞り部１２と、空気導入部１３と、拡散部１４と、溶解部１５と、を具備し、全体的に略筒状に形成される。
【００９６】
ノズル１は、接続部材５０と、水流方向変換部材６０と、絞り部材３０と、回転体７０と、第一筒部材８１と、第二筒部材８２と、固形剤配置部材８６と、固形剤９０と、蓋部材８０と、を具備し、脈動するような気泡混入水を吐出するとともに、所定の溶液を吐出するように構成される。
ノズル１では、絞り部材３０は拡散体３８を有する。
【００９７】
ノズル１の第二筒部材８２は、その上流側部を除く部分（中途部および下流側部）の内径が、絞り部材３０は拡散体３８の最も下流側部分の径よりも大きく形成されて構成される。
ノズル１の第二筒部材８２は、その内側（第二筒部材８２の中途部の内側）に絞り部材３０の拡散体３８が位置するように構成される。
ノズル１の第二筒部材８２は、その下流側端部の開口８３が絞り部材３０の拡散体３８の下流側端よりも下流側に位置するように構成される。
ノズル１の第二筒部材８２は、その流入路８５の上流側の開口（内面側の開口）が絞り部材３０の絞り孔３４から流出する気泡混入水の流出方向の延長線よりも外側に位置するように構成される。
【００９８】
ノズル１は、図２７に示すように、絞り部材３０の拡散体３８に当接して拡散した気泡混入水が、第二筒部材８２の内周面（内面）に当接して第二筒部材８２の下流側端部の開口８３から吐出されるように、構成される。
また、ノズル１は、絞り部材３０の拡散体３８に当接して拡散した気泡混入水のうち一部の気泡混入水が、第二筒部材８２の流出路８４を介して第二筒部材８２の内側から流出して、固形剤配置室８８（溶解部１５）に流入するように構成される。
【００９９】
以上のようにして、ノズル１は、前記絞り部材３０の拡散体３８に当接して拡散した気泡混入水をその吐出範囲を広げた状態で洗浄対象に向けて吐出するとともに、当該気泡混入水が固形剤９０に接触することによって当該固形剤９０が溶解されて当該気泡混入水を所定の溶液として当該所定の溶液を吐出するように構成される。
したがって、ノズル１によれば、混入される気泡の量が減少することを防止しつつ水勢を弱めるとともに吐出範囲が広げられた気泡混入水を洗浄対象物に確実に吐出することができるとともに、固形剤９０が溶解されたものを導入して所定の溶液を吐出するように構成されるものに比べて簡易な構成で所定の溶液を吐出することができる。
【０１００】
次に、本発明の第六実施形態に係るノズル１について、図２８乃至図３０を用いて説明する。
なお、第六実施形態に係るノズル１の説明は、第一実施形態乃至第五実施形態に係るノズル１と同様の構成の部分については適宜省略し、第一実施形態乃至第五実施形態に係るノズル１の構成と異なる部分を中心に説明する。
【０１０１】
ノズル１は、図２８乃至図２９に示すように、流入部１１と、絞り部１２と、空気導入部１３と、拡散部１４と、溶解部１５と、を具備し、全体的に略筒状に形成される。
【０１０２】
ノズル１は、接続部材５０と、水流方向変換部材６０と、絞り部材３０と、回転体７０と、第一筒部材８１と、第二筒部材８２と、固形剤配置部材８６と、固形剤９０と、蓋部材８０と、を具備し、脈動するような気泡混入水を吐出するとともに、所定の溶液を吐出するように構成される。
【０１０３】
ノズル１の第二筒部材８２は、流入路８５を有さない。
ノズル１は、固形剤配置部材８６の下流側開口部８７が、第二筒部材８２の下流側端部の開口８３よりも下流側に位置するように構成される。
ノズル１は、固形剤配置部材８６の下流側開口部８７と第二筒部材８２の下流側端部の開口８３との間に隙間が形成されるように、固形剤配置部材８６の第二筒部材８２とが配置されて構成される。
【０１０４】
そして、ノズル１は、図３０に示すように、絞り部材３０の拡散体３８に当接して拡散した気泡混入水が、第二筒部材８２の内周面（内面）に当接して第二筒部材８２の下流側端部の開口８３を介して固形剤配置部材８６の下流側開口部８７から吐出されるように、構成される。
また、ノズル１は、固形剤配置室８８（溶解部１５）内の所定の溶液が、固形剤配置室８８（溶解部１５）から固形剤配置部材８６の下流側開口部８７と第二筒部材８２の下流側端部の開口８３との間に隙間を流通して、固形剤配置部材８６の下流側開口部８７から流出するように構成される。
【０１０５】
以上のようにして、ノズル１は、前記絞り部材３０の拡散体３８に当接して拡散した気泡混入水をその吐出範囲を広げた状態で洗浄対象に向けて吐出するとともに、当該気泡混入水が固形剤９０に接触することによって当該固形剤９０が溶解されて当該気泡混入水を所定の溶液として当該所定の溶液を吐出するように構成される。
したがって、ノズル１によれば、混入される気泡の量が減少することを防止しつつ水勢を弱めるとともに吐出範囲が広げられた気泡混入水を洗浄対象物に確実に吐出することができるとともに、固形剤９０が溶解されたものを導入して所定の溶液を吐出するように構成されるものに比べて簡易な構成で所定の溶液を吐出することができる。
【０１０６】
次に、本発明の第七実施形態に係るノズル１について、図３０乃至図３４を用いて説明する。
なお、第六実施形態に係るノズル１の説明は、第一実施形態乃至第六実施形態に係るノズル１と同様の構成の部分については適宜省略し、第一実施形態乃至第六実施形態に係るノズル１の構成と異なる部分を中心に説明する。
【０１０７】
ノズル１は、図３０乃至図３３に示すように、流入部１１と、絞り部１２と、空気導入部１３と、拡散部１４と、溶解部１５と、を具備し、全体的に略筒状に形成される。
【０１０８】
ノズル１は、接続部材５０と、水流方向変換部材６０と、絞り部材３０と、回転体７０と、第一筒部材８１と、第二筒部材８２と、固形剤配置部材８６と、固形剤９０と、を具備し、脈動するような気泡混入水を吐出するとともに、所定の溶液を吐出するように構成される。
ノズル１は、蓋部材８０を具備しない。ノズル１の固形剤配置部材８６は、側部孔８９を有さない。
【０１０９】
ノズル１は、固形剤９０が固形剤配置室８８に配置されるようにして組み立てられる。
ノズル１は、円環状の固形剤９０が固形剤配置室８８に配置されて構成される。
ノズル１の固形剤９０は、その外径が固形剤配置室８８の内径と略同一となるように構成される。ノズル１の固形剤９０は、その内径が第二筒部材８２の外径よりも大きく構成されて、固形剤配置室８８に配置されたときに、第二筒部材８２の内面と第二筒部材８２の外面との間に隙間が生じるように構成される。
【０１１０】
そして、ノズル１は、図３４に示すように、絞り部材３０の絞り孔３４から流出した気泡混入水が、第二筒部材８２の下流側端部の開口８３から吐出されるように、構成される。
また、ノズル１は、絞り部材３０の絞り孔３４から流出した気泡混入水のうち一部の気泡混入水が、第二筒部材８２の流出路８４を介して第二筒部材８２の内側から流出して、固形剤配置室８８（溶解部１５）に流入し、第二筒部材８２の内面と第二筒部材８２の外面との間を流通するように構成される。
ノズル１は、前記固形剤配置室８８に流入して第二筒部材８２の内面と第二筒部材８２の外面との間を流通する気泡混入水によって固形剤配置室８８（溶解部１５）に配置される固形剤９０を溶解して当該気泡混入水を所定の溶液として、当該所定の溶液が固形剤配置室８８（溶解部１５）から第二筒部材８２の流入路８５を介して第二筒部材８２の内側に流入するように構成される。
そして、ノズル１は、第二筒部材８２の内側に流入した所定の溶液が第二筒部材８２の下流側端部の開口８３から吐出されるように、構成される。
【０１１１】
以上のようにして、ノズル１は、水の流出口からノズル１に流入した水に空気を混入させて気泡混入水として当該気泡混入水を吐出するとともに、当該気泡混入水が固形剤９０に接触することによって当該固形剤９０が溶解されて当該気泡混入水を所定の溶液として当該所定の溶液を吐出するように構成される。
したがって、ノズル１によれば、固形剤９０を溶解して当該固形剤９０が溶解されたものをノズル１に導入することを要さずに、所定の溶液を吐出することができる。
よって、ノズル１によれば、固形剤９０が溶解されたものを導入して所定の溶液を吐出するように構成されるものに比べて、簡易な構成で所定の溶液を吐出することができる。
【符号の説明】
【０１１２】
１    ノズル
１１  流入部
１２  絞り部
１３  空気導入部
１４  拡散部
４０  筒部材
【図１】
0006012316.tif 000002
【図２】
0006012316.tif 000003
【図３】
0006012316.tif 000004
【図４】
0006012316.tif 000005
【図５】
0006012316.tif 000006
【図６】
0006012316.tif 000007
【図７】
0006012316.tif 000008
【図８】
0006012316.tif 000009
【図９】
0006012316.tif 000010
【図１０】
0006012316.tif 000011
【図１１】
0006012316.tif 000012
【図１２】
0006012316.tif 000013
【図１３】
0006012316.tif 000014
【図１４】
0006012316.tif 000015
【図１５】
0006012316.tif 000016
【図１６】
0006012316.tif 000017
【図１７】
0006012316.tif 000018
【図１８】
0006012316.tif 000019
【図１９】
0006012316.tif 000020
【図２０】
0006012316.tif 000021
【図２１】
0006012316.tif 000022
【図２２】
0006012316.tif 000023
【図２３】
0006012316.tif 000024
【図２４】
0006012316.tif 000025
【図２５】
0006012316.tif 000026
【図２６】
0006012316.tif 000027
【図２７】
0006012316.tif 000028
【図２８】
0006012316.tif 000029
【図２９】
0006012316.tif 000030
【図３０】
0006012316.tif 000031
【図３１】
0006012316.tif 000032
【図３２】
0006012316.tif 000033
【図３３】
0006012316.tif 000034
【図３４】
0006012316.tif 000035